【手続補正書】
【提出日】平成18年5月25日(2006.5.25)
【手続補正１】
【補正対象書類名】明細書
【補正対象項目名】発明の名称
【補正方法】変更
【補正の内容】
【発明の名称】データ処理装置及びデータ処理方法
【手続補正２】
【補正対象書類名】明細書
【補正対象項目名】特許請求の範囲
【補正方法】変更
【補正の内容】
【特許請求の範囲】
【請求項１】  少なくとも映像データを含む放送データを受信する受信手段と、
前記受信手段で受信した放送データを分離することで、マークアップ言語で記述された第１のデータを取得し、当該第１のデータに基づいて第１の表示用データを生成する第１の処理手段と、
前記受信手段で受信した放送データを分離することで、プログラム言語で記述された第２のデータを取得し、当該第２のデータに記述された処理を実行する第２の処理手段と、
前記第１の処理手段で生成された前記第１の表示用データをモニタ部に表示するよう制御するとともに、前記第１の表示用データを前記モニタ部に表示中に、前記第２の処理手段が前記第２のデータに記述された処理を実行するよう制御する制御手段と、
を有することを特徴とするデータ処理装置。
【請求項２】  前記第２の処理手段は前記第２のデータに基づいて、所定の音声データをデコードして出力する処理を実行することを特徴とする請求項１に記載のデータ処理装置。
【請求項３】  前記第２の処理手段は前記第２のデータに基づいて第２の表示用データを生成する処理を実行し、前記制御手段は前記第１の表示用データと前記第２の表示用データをともに前記モニタ部に表示する制御を行うことを特徴とする請求項１に記載のデータ処理装置。
【請求項４】  前記第２の処理手段は前記第１の表示用データの表示サイズ及び／又は表示位置を変更する処理を実行し、前記制御手段は表示サイズ及び／又は表示位置が変更された第１の表示用データを前記モニタ部に表示するよう制御することを特徴とする請求項３に記載のデータ処理装置。
【請求項５】  前記第２の処理手段は表示サイズ及び／又は表示位置が変更された前記第１の表示用データが前記モニタ部に表示された際、表示画面上で余白となる領域に前記第２の表示用データを表示するよう、前記第２の表示用データのレイアウト処理を実行することを特徴とする請求項４に記載のデータ処理装置。
【請求項６】  前記第２の処理手段は前記第１の表示用データの画像の一部をトリミングすることで前記第１の表示用データの表示サイズを変更する処理を実行することを特徴とする請求項４に記載のデータ処理装置。
【請求項７】  データ処理装置を操作可能なリモコン装置から送出された操作信号を受信する信号受信手段を有し、
前記制御手段は、前記信号受信手段で受信した操作信号に応じて前記第２の処理手段による前記第２のデータに基づく処理を実行させる制御を行うことを特徴とする請求項１に記載のデータ処理装置。
【請求項８】  前記制御手段は、前記第１の表示用データが前記モニタ部に表示されている間に前記リモコン装置から送信される操作信号を監視し、当該監視結果に基づいて前記第２のデータに基づく処理を前記第２の処理手段に実行させる制御を行うことを特徴とする請求項７に記載のデータ処理装置。
【請求項９】  前記第２のデータに基づいて前記第２の処理手段が実行する処理には、前記第１の処理手段に対する操作信号の送出処理を含むことを特徴とする請求項７に記載のデータ処理装置。
【請求項１０】  前記第１の表示用データは前記リモコン装置からの操作信号によって選択可能な領域を含んでおり、前記制御手段は前記操作信号によって選択された領域に対応する処理を前記第２の処理手段に実行させる制御を行うことを特徴とする請求項８に記載のデータ処理装置。
【請求項１１】  少なくとも映像データを含む放送データを受信する受信工程と、
前記受信工程で受信した放送データを分離することで、マークアップ言語で記述された第１のデータを取得し、当該第１のデータに基づいて第１の表示用データを生成する第１の処理工程と、
前記受信工程で受信した放送データを分離することで、プログラム言語で記述された第２のデータを取得し、当該第２のデータに記述された処理を実行する第２の処理工程と、
前記第１の処理工程で生成された前記第１の表示用データをモニタ部に表示するよう制御するとともに、前記第１の表示用データを前記モニタ部に表示中に、前記第２の処理工程で前記第２のデータに記述された処理を実行するよう制御する制御工程と、
を有することを特徴とするデータ処理方法。
【請求項１２】  前記第２の処理工程では前記第２のデータに基づいて、所定の音声データをデコードして出力する処理を実行することを特徴とする請求項１１に記載のデータ処理方法。
【請求項１３】  前記第２の処理工程では前記第２のデータに基づいて第２の表示用データを生成する処理を実行し、前記制御工程では前記第１の表示用データと前記第２の表示用データをともに前記モニタ部に表示する制御を行うことを特徴とする請求項１１に記載のデータ処理方法。
【請求項１４】  前記第２の処理工程では前記第１の表示用データの表示サイズ及び／又は表示位置を変更する処理を実行し、前記制御工程では表示サイズが変更された第１の表示用データを前記モニタ部に表示するよう制御することを特徴とする請求項１３に記載のデータ処理方法。
【請求項１５】  前記第２の処理工程では表示サイズ及び／又は表示位置が変更された前記第１の表示用データが前記モニタ部に表示された際、表示画面上で余白となる領域に前記第２の表示用データを表示するよう、前記第２の表示用データのレイアウト処理を実行することを特徴とする請求項１４に記載のデータ処理方法。
【請求項１６】  前記第２の処理工程では前記第１の表示用データの画像の一部をトリミングすることで前記第１の表示用データの表示サイズを変更する処理を実行することを特徴とする請求項１４に記載のデータ処理方法。
【請求項１７】  データ処理を実行する装置を操作可能なリモコン装置から送出された操作信号を受信する信号受信工程を有し、
前記制御工程では、前記信号受信工程で受信した操作信号に応じて前記第２の処理工程による前記第２のデータに基づく処理を実行させる制御を行うことを特徴とする請求項１１に記載のデータ処理方法。
【請求項１８】  前記制御工程では、前記第１の表示用データが前記モニタ部に表示されている間に前記リモコン装置から送信される操作信号を監視し、当該監視結果に基づいて前記第２のデータに基づく処理を前記第２の処理工程で実行させる制御を行うことを特徴とする請求項１７に記載のデータ処理方法。
【請求項１９】  前記第２のデータに基づいて前記第２の処理工程が実行する処理には、前記第１の処理工程に対する操作信号の送出処理を含むことを特徴とする請求項１７に記載のデータ処理方法。
【請求項２０】  前記第１の表示用データは前記リモコン装置からの操作信号によって選択可能な領域を含んでおり、前記制御工程では前記操作信号によって選択された領域に対応する処理を前記第２の処理工程で実行させる制御を行うことを特徴とする請求項１８に記載のデータ処理方法。
【手続補正３】
【補正対象書類名】明細書
【補正対象項目名】００１４
【補正方法】変更
【補正の内容】
【００１４】
【課題を解決するための手段】
上記課題を解決するために本発明では、少なくとも映像データを含む放送データを受信する受信手段と、前記受信手段で受信した放送データを分離することで、マークアップ言語で記述された第１のデータを取得し、当該第１のデータに基づいて第１の表示用データを生成する第１の処理手段と、前記受信手段で受信した放送データを分離することで、プログラム言語で記述された第２のデータを取得し、当該第２のデータに記述された処理を実行する第２の処理手段と、前記第１の処理手段で生成された前記第１の表示用データをモニタ部に表示するよう制御するとともに、前記第１の表示用データを前記モニタ部に表示中に、前記第２の処理手段が前記第２のデータに記述された処理を実行するよう制御する制御手段と、を有するデータ処理装置を特徴とする。
【手続補正４】
【補正対象書類名】明細書
【補正対象項目名】００１５
【補正方法】変更
【補正の内容】
【００１５】
また、上記課題を解決するために本発明では、少なくとも映像データを含む放送データを受信する受信工程と、前記受信工程で受信した放送データを分離することで、マークアップ言語で記述された第１のデータを取得し、当該第１のデータに基づいて第１の表示用データを生成する第１の処理工程と、前記受信工程で受信した放送データを分離することで、プログラム言語で記述された第２のデータを取得し、当該第２のデータに記述された処理を実行する第２の処理工程と、前記第１の処理工程で生成された前記第１の表示用データをモニタ部に表示するよう制御するとともに、前記第１の表示用データを前記モニタ部に表示中に、前記第２の処理工程で前記第２のデータに記述された処理を実行するよう制御する制御工程と、を有するデータ処理方法を特徴とする。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００６７
【補正方法】変更
【補正の内容】
【００６７】
例えば、図１０の図で説明すると、アプリケーションエンジン７０３が描画する人物は、画面左下に近く表示されるため、アプリケーションプログラム７００内で、アプリ描画基準は、（０，１）“左下”と明記される（ｘ＝０，ｙ＝１）。
【手続補正１１】
【補正対象書類名】明細書
【補正対象項目名】００６８
【補正方法】変更
【補正の内容】
【００６８】
この場合、アプリケーションエンジン７０３は、ｘ、ｙのＮＯＴを取り、拡大・縮小基準を（１，０）とし、図１０では“右上”が拡大・縮小基準となる。ここでは、（０，０）＝左上、（０，１）＝左下、（１，０）＝右上、（１，１）＝右下と定義しておく。